(57)【要約】【課題】プリペイド方式のプリンタシステムにおいて、印刷装置は、各々のＩＣチップに保持された色材情報および前払情報を読み書きすることができない。【解決手段】色材カートリッジであって、色材を収容するカートリッジ本体と、色材に関する色材情報を格納する色材情報格納部と、印刷に関する前払情報を格納する前払情報格納部とを備え、色材情報格納部は、外部の読み書き装置に接続する接続端子、および、前払情報格納部に接続する接続線路を有し、前払情報格納部は、接続線路を介して読み書き装置に接続する。【選択図】図８
2007283508.tif 000002
【特許請求の範囲】
【請求項１】
色材を収容するカートリッジ本体と、
色材に関する色材情報を格納する色材情報格納部と、
印刷に関する前払情報を格納する前払情報格納部と
を備え、
前記色材情報格納部は、外部の読み書き装置に接続する接続端子、および、前記前払情報格納部に接続する接続線路を有し、
前記前払情報格納部は、前記接続線路を介して前記読み書き装置に接続する色材カートリッジ。
【請求項２】
色材を収容するカートリッジ本体と、
色材に関する色材情報を格納する色材情報格納部と、
印刷に関する前払情報を格納する前払情報格納部と
を備え、
前記前払情報格納部は、外部の読み書き装置に接続する接続端子、および、前記色材情報格納部に接続する接続線路を有し、
前記色材情報格納部は、前記接続線路を介して前記読み書き装置に接続する色材カートリッジ。
【請求項３】
色材を収容するカートリッジ本体と、
色材に関する色材情報を格納する色材情報格納部と、
印刷に関する前払情報を格納する前払情報格納部と
を備え、
前記色材情報格納部および前記前払情報格納部の各々は、外部の読み書き装置に接続する接続端子を有する色材カートリッジ。
【請求項４】
媒体に対して色材により印刷を行う印刷装置であって、
色材に関する色材情報を格納する色材情報格納部および印刷に関する前払情報を格納する前払情報格納部が取り付けられ、色材を収容するカートリッジを着脱可能に収容するカートリッジ収容部と、
前記カートリッジ収容部に収容された前記カートリッジの前記色材情報格納部に接続し、前記色材情報格納部との間で前記色材情報を読み書きする読み書き部と、
前記カートリッジ収容部に収容された前記カートリッジの前記色材情報格納部と前記前払情報格納部とを接続する接続線路と、
印刷を制御する印刷駆動信号を出力する印刷制御部と、
前記印刷制御部から出力される前記印刷駆動信号に基づいて、前記カートリッジの色材を用いて印刷を行う印刷部と、
前記印刷制御部から出力された前記印刷駆動信号を取得し、前記印刷駆動信号を課金情報に換算する印刷駆動信号換算部と、
前記前払情報を、前記印刷駆動信号換算部で換算された前記課金情報により清算する清算部と、
を備え、
前記読み書き部は、前記接続線路を介して、前記前払情報格納部の前記前払情報を読み書きする印刷装置。
【請求項５】
媒体に対して色材により印刷を行う印刷装置であって、
色材に関する色材情報を格納する色材情報格納部および印刷に関する前払情報を格納する前払情報格納部が取り付けられ、色材を収容するカートリッジを着脱可能に収容するカートリッジ収容部と、
前記カートリッジ収容部に収容された前記カートリッジの前記前払情報格納部に接続し、前記前払情報格納部との間で前記前払情報を読み書きする読み書き部と、
前記カートリッジ収容部に収容された前記カートリッジの前記色材情報格納部と前記前払情報格納部とを接続する接続線路と、
印刷を制御する印刷駆動信号を出力する印刷制御部と、
前記印刷制御部から出力される前記印刷駆動信号に基づいて、前記カートリッジの色材を用いて印刷を行う印刷部と、
前記印刷制御部から出力された前記印刷駆動信号を取得し、前記印刷駆動信号を課金情報に換算する印刷駆動信号換算部と、
前記前払情報を、前記印刷駆動信号換算部で換算された前記課金情報により清算する清算部と、
を備え、
前記読み書き部は、前記接続線路を介して、前記色材情報格納部の前記色材情報を読み書きする印刷装置。
【請求項６】
媒体に対して色材により印刷を行う印刷装置であって、
色材に関する色材情報を格納する色材情報格納部および印刷に関する前払情報を格納する前払情報格納部が取り付けられ、色材を収容するカートリッジを着脱可能に収容するカートリッジ収容部と、
前記カートリッジ収容部に収容された前記カートリッジの前記色材情報格納部および前記前払情報格納部のそれぞれと接続し、前記色材情報格納部および前記前払情報格納部との間で前記色材情報および前記前払情報を読み書きする読み書き部と、
印刷を制御する印刷駆動信号を出力する印刷制御部と、
前記印刷制御部から出力される前記印刷駆動信号に基づいて、前記カートリッジの色材を用いて印刷を行う印刷部と、
前記印刷制御部から出力された前記印刷駆動信号を取得し、前記印刷駆動信号を課金情報に換算する印刷駆動信号換算部と、
前記前払情報を、前記印刷駆動信号換算部で換算された前記課金情報により清算する清算部と、
を備える印刷装置。
【発明の詳細な説明】
【技術分野】
【０００１】
本発明は、色材カートリッジおよび印刷装置に関する。特に、本発明は、印刷に関する前払情報を格納する色材カートリッジおよび当該前払情報を読み書きする印刷装置に関する。
【背景技術】
【０００２】
プリンタを使用するユーザに対して使用料金を算出するプリンタシステムが知られている（例えば、特許文献１参照）。しかし、特許文献１に記載のプリンタシステムは、プリンタシステムの提供者が使用料金をユーザから簡便に回収することができない。そこで、使用料金をユーザから簡便に回収するプリペイド方式のプリンタシステムが考えられる。例えば、クレジット（使用料金）に関する情報をＩＣチップに保持させ、当該ＩＣチップをプリンタに着脱されるインクカートリッジに装着させるプリペイド方式のプリンタシステムが考えられる。
【特許文献１】特開２００２−２１５３６８号公報
【発明の開示】
【発明が解決しようとする課題】
【０００３】
しかしながら、インクカートリッジがインクに関する情報等を保持するＩＣチップを既に有している場合に、インクカートリッジに新たにクレジットに関する情報を保持するＩＣチップを装着させたときに、プリンタは、新たに追加されたＩＣに保持されたクレジットに関する情報を読み書きすることができないという課題がある。
【課題を解決するための手段】
【０００４】
上記課題を解決するために、本発明の第１の形態においては、色材カートリッジであって、色材を収容するカートリッジ本体と、色材に関する色材情報を格納する色材情報格納部と、印刷に関する前払情報を格納する前払情報格納部とを備え、色材情報格納部は、外部の読み書き装置に接続する接続端子、および、前払情報格納部に接続する接続線路を有し、前払情報格納部は、接続線路を介して読み書き装置に接続する。これにより、色材情報および前払情報を読み書きする機能を、インクカートリッジ側の接続線路によって簡便に実装することができる。
【０００５】
上記課題を解決するために、本発明の第２の形態においては、色材カートリッジであって、色材を収容するカートリッジ本体と、色材に関する色材情報を格納する色材情報格納部と、印刷に関する前払情報を格納する前払情報格納部とを備え、前払情報格納部は、外部の読み書き装置に接続する接続端子、および、色材情報格納部に接続する接続線路を有し、色材情報格納部は、接続線路を介して読み書き装置に接続する。これにより、色材情報および前払情報を読み書きする機能を、インクカートリッジ側の接続線路によって簡便に実装することができる。
【０００６】
上記課題を解決するために、本発明の第３の形態においては、色材カートリッジであって、色材を収容するカートリッジ本体と、色材に関する色材情報を格納する色材情報格納部と、印刷に関する前払情報を格納する前払情報格納部とを備え、色材情報格納部および前払情報格納部の各々は、外部の読み書き装置に接続する接続端子を有する。これにより、色材情報および前払情報を読み書きする機能を個別に印刷装置側で実装することができる。
【０００７】
上記課題を解決するために、本発明の第４の形態においては、媒体に対して色材により印刷を行う印刷装置であって、色材に関する色材情報を格納する色材情報格納部および印刷に関する前払情報を格納する前払情報格納部が取り付けられ、色材を収容するカートリッジを着脱可能に収容するカートリッジ収容部と、カートリッジ収容部に収容されたカートリッジの色材情報格納部に接続し、色材情報格納部との間で色材情報を読み書きする読み書き部と、カートリッジ収容部に収容されたカートリッジの色材情報格納部と前払情報格納部とを接続する接続線路と、印刷を制御する印刷駆動信号を出力する印刷制御部と、印刷制御部から出力される印刷駆動信号に基づいて、カートリッジの色材を用いて印刷を行う印刷部と、印刷制御部から出力された印刷駆動信号を取得し、印刷駆動信号を課金情報に換算する印刷駆動信号換算部と、前払情報を、印刷駆動信号換算部で換算された課金情報により清算する清算部と、を備え、読み書き部は、接続線路を介して、前払情報格納部の前払情報を読み書きする。これにより、色材情報および前払情報を読み書きする機能を、印刷装置側の接続線路によって簡便に実装することができる。
【０００８】
上記課題を解決するために、本発明の第５の形態においては、媒体に対して色材により印刷を行う印刷装置であって、色材に関する色材情報を格納する色材情報格納部および印刷に関する前払情報を格納する前払情報格納部が取り付けられ、色材を収容するカートリッジを着脱可能に収容するカートリッジ収容部と、カートリッジ収容部に収容されたカートリッジの前払情報格納部に接続し、前払情報格納部との間で前払情報を読み書きする読み書き部と、カートリッジ収容部に収容されたカートリッジの色材情報格納部と前払情報格納部とを接続する接続線路と、印刷を制御する印刷駆動信号を出力する印刷制御部と、印刷制御部から出力される印刷駆動信号に基づいて、カートリッジの色材を用いて印刷を行う印刷部と、印刷制御部から出力された印刷駆動信号を取得し、印刷駆動信号を課金情報に換算する印刷駆動信号換算部と、前払情報を、印刷駆動信号換算部で換算された課金情報により清算する清算部と、を備え、読み書き部は、接続線路を介して、色材情報格納部の色材情報を読み書きする。これにより、色材情報および前払情報を読み書きする機能を、印刷装置側の接続線路によって簡便に実装することができる。
【０００９】
上記課題を解決するために、本発明の第６の形態においては、媒体に対して色材により印刷を行う印刷装置であって、色材に関する色材情報を格納する色材情報格納部および印刷に関する前払情報を格納する前払情報格納部が取り付けられ、色材を収容するカートリッジを着脱可能に収容するカートリッジ収容部と、カートリッジ収容部に収容されたカートリッジの色材情報格納部および前払情報格納部のそれぞれと接続し、色材情報格納部および前払情報格納部との間で色材情報および前払情報を読み書きする読み書き部と、印刷を制御する印刷駆動信号を出力する印刷制御部と、印刷制御部から出力される印刷駆動信号に基づいて、カートリッジの色材を用いて印刷を行う印刷部と、印刷制御部から出力された印刷駆動信号を取得し、印刷駆動信号を課金情報に換算する印刷駆動信号換算部と、前払情報を、印刷駆動信号換算部で換算された課金情報により清算する清算部とを備える。これにより、第３の実施形態と同一の効果を得ることができる。
【００１０】
なお、上記の発明の概要は、本発明の必要な特徴の全てを列挙したものではなく、これらの特徴群のサブコンビネーションもまた、発明となりうる。
【発明を実施するための最良の形態】
【００１１】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１２】
図１は、印刷装置１０の概略斜視図である。印刷装置１０は、媒体を搬送する搬送部１８２、媒体を排出する排出部１８４、印刷ヘッド１４０、および、当該印刷ヘッド１４０を保持するキャリッジ１００を備える。キャリッジ１００は、インクカートリッジ３０、４０、５０、６０を収容する。インクカートリッジ３０、４０、５０、６０は、黒、シアン、マゼンタ、イエローの色材を収容する。また、キャリッジ１００の底面には、インクカートリッジ３０、４０、５０、６０から供給される各インクを吐出する印刷ヘッド１４０が配される。
【００１３】
図２は、キャリッジ１００の正面上方斜視図である。図３は、キャリッジ１００の背面上方斜視図である。図４は、キャリッジ１００が備える接続端子１１０の概略斜視図である。図２および図３に示すように、キャリッジ１００は、全体として、上面が開放された略直方体の形状を有する。キャリッジ１００は、インクカートリッジ３０、４０、５０、６０を収容するカートリッジ収容部１０２、１０４、１０６、１０８と、インクカートリッジ３０、４０、５０、６０の各々に対応するインク供給部１０３、１０５、１０７、１０９と、接続端子１１０、１１２、１１４、１１６を備える。なお、図２および図３において接続端子１１６は見えていない。接続端子１１０は、図４に示すように、導体部７１２、７２２、および、絶縁部７００を有する。図４の例において、接続端子１１０は、７つの導体部７１２ａ、ｂ、ｃ、ｄ、ｅ、ｆ、ｇの組、および、７つの導体部７２２ａ、ｂ、ｃ、ｄ、ｅ、ｆ、ｇの組を有しており、これら導体部は、絶縁部７００により相互に絶縁されている。
【００１４】
図５は、インクカートリッジ３０の一例を示す概略斜視図である。インクカートリッジ３０は、インクを収容するカートリッジ本体３００と、印刷装置１０のインク供給部１０３にインクを供給するインク供給口３０２と、インクに関する情報を格納するインク情報格納部３１０と、前払情報を格納する前払情報格納部３２０と、インク情報格納部３１０および前払情報格納部３２０を収容するチップ収容部８００とを備える。インク情報格納部３１０および前払情報格納部３２０の一例はそれぞれ、キャリッジ１００が備える接続端子１１０と電気的に接触する接触端子と、この接触端子と電気的に接続しインクに関する情報または前払情報を記憶するメモリとを有するＩＣチップである。このインク情報格納部３１０および前払情報格納部３２０は、図６においてさらに説明する。
【００１５】
インク情報格納部３１０は、インクに関する情報として、インクの量に関する情報を格納する。例えば、インク情報格納部３１０は、カートリッジ購入時におけるインクの量および使用されたインクの量を格納する。インク情報格納部３１０は、インクに関する情報として、インクの色に関する情報等をさらに格納してもよい。また、インク情報格納部３１０は、チップ収容部８００に対して着脱可能に取り付けられてもよい。
【００１６】
前払情報格納部３２０は、印刷に関する前払情報であるクレジット（以下、前払情報格納部３２０に格納されるクレジットを「ＩＣクレジット」という。）を格納する。印刷に関する前払情報は、例えば、印刷装置１０を駆動する量に対応する料金を前払いしたことを示す情報であってもよいし、インクカートリッジ３０のインクを使用する量に対応する料金を前払いしたことを示す情報であってもよい。さらに、印刷装置１０を駆動する量は、印刷ヘッド１４のショット数であってもよい。また、印刷装置を駆動する量は、印刷装置がレーザプリンタの場合におけるパルス数であってもよい。例えば、前払情報格納部３２０は、印刷装置１０の使用料金としてユーザにより予め支払われた金額に応じたＩＣクレジットから印刷装置１０の使用よって消費されたＩＣクレジットの累計を差し引いた、現在において使用できるＩＣクレジットを格納する。また、前払情報格納部３２０は、ＩＣクレジットに加えて、ＩＣクレジットの正当性を示す認証データ等を格納してもよい。また、チップ収容部８００に対して着脱可能に取り付けられてもよい。
【００１７】
なお、他のインクカートリッジ４０、５０、６０は、インクを収容するカートリッジ本体と、印刷装置１０のインク供給部１０５、１０７、１０９にインクを供給するインク供給口４０２、５０２、６０２とインクに関する情報を格納するインク情報格納部４１０、５１０、６１０と、インク情報格納部４１０、５１０、６１０を収容するチップ収容部とを備える。
【００１８】
図６は、チップ収容部８００に収容されたインク情報格納部３１０および前払情報格納部３２０の模式図である。図７は、インク情報格納部３１０と前払情報格納部３２０との電気的な接続の一例を示す模式図である。図７に示す模式図は、具体的には、インクカートリッジ３０がカートリッジ収容部１０２に収容された場合において、図６に示す破線によってインク情報格納部３１０および前払情報格納部３２０を切断し、Ａ方向からインク情報格納部３１０、前払情報格納部３２０、接続端子１１０および接続線路１５０を見た断面図である。
【００１９】
インク情報格納部３１０は、基板３１４、接続端子３１２および、インクに関する情報を記憶するメモリ３１６を備える。接続端子３１２は、基板３１４におけるキャリッジ１００の接続端子１１０に対向する一面に露出するとともに、当該基板３１４の他面側に貫通する。基板３１４の当該他面には、メモリ３１６が配され、接続端子３１２に電気的に接続する。前払情報格納部３２０は、基板３２４、接続端子３２２、および、ＩＣクレジットを記憶するメモリ３２６を備える。接続端子３２２は、基板３２４の一面に露出するとともに、当該基板３２４の他面側に貫通する。基板３２４の当該他面には、メモリ３２６が配され、接続端子３２２に電気的に接続する。
【００２０】
インクカートリッジ３０がカートリッジ収容部１０２に収容された場合に、インクカートリッジ３０の接続端子３１２ａ、ｂ、ｃ、ｄ、ｅ、ｆ、ｇの各々は、キャリッジ１００の接続端子１１０において対向する導体部７１２ａ、ｂ、ｃ、ｄ、ｅ、ｆ、ｇに電気的に接続される。同様に、インクカートリッジ３０接続端子３２２ａ、ｂ、ｃ、ｄ、ｅ、ｆ、ｇの各々は、キャリッジ１００の接続端子１１０において対向する導体部７２２ａ、ｂ、ｃ、ｄ、ｅ、ｆ、ｇに電気的に接続される。
【００２１】
印刷装置１０は、さらに、インク情報格納部３１０と、前払情報格納部３２０とを電気的に接続する接続線路１５０を備える。接続線路１５０は、キャリッジ１００の接続端子１１０に電気的に接続する。図７に示す例において、接続線路１５０は、接続端子１１０の導体部７１２ｂおよび導体部７２２ａを互いに電気的に接続する。
【００２２】
また、接続端子３１２ａ、ｂはメモリ３１６に電気的に接続し、メモリ３１６を介して相互に電気的に接続する。同様に、接続端子３２２ａ、ｂはメモリ３２６に電気的に接続し、メモリ３２６を介して相互に電気的に接続する。これにより、図７において、キャリッジ１００が有する接続端子１１０の導体部７１２ｂまたは導体部７２２ａの少なくとも一方に電気的に接続したときは、メモリ３１６およびメモリ３２６に電気的に接続することができる。
【００２３】
図８は、印刷装置１０のブロック構成の一例を示すブロック図である。印刷装置１０は、カートリッジ収容部１０２、１０４、１０６、１０８、接続線路１５０等に加えさらに、読み書き部１６０、印刷制御部１７０、印刷部１８０、印刷駆動信号換算部１９０、清算部２００、読込前払情報記憶部２１０および表示部２２０を備える。図８に示すブロック図は、図７に示すように、読み書き部１６０が導体部７１２ａに電気的に接続する場合のブロック構成を示す。
【００２４】
読み書き部１６０は、カートリッジ収容部１０２に収容されたインクカートリッジ３０に関して、導体部７１２ａおよび接続端子３１２ａを介して、インク情報格納部３１０が備えるメモリ３１６に記憶されたインクに関する情報を読み書きする。また、読み書き部１６０は、導体部７１２ａ、接続端子３１２ａ、メモリ３１６、導体部７１２ｂ、接続線路１５０、導体部７２２ａおよび接続端子３２２ａを介して、前払情報格納部３２０が備えるメモリ３２６に記憶されたＩＣクレジットを読み書きする。これにより、色材情報および前払情報の両方を読み書きする機能を、印刷装置１０の接続線路１５０によって簡便に実装することができる。
【００２５】
さらに、読み書き部１６０は、カートリッジ収容部１０４、１０６、１０８に収容された他のインクカートリッジ４０、５０、６０に関して、インク情報格納部４１０、５１０、６１０が備えるメモリに記憶されたインクに関する情報を読み書きする。
【００２６】
読込前払情報記憶部２１０は、前払情報格納部３２０から読み込まれた読込クレジット、印刷装置１０の使用により消費された使用クレジット、および、読込クレジットから使用クレジットを差し引いた清算後クレジットを記憶する。
【００２７】
印刷制御部１７０は、パーソナルコンピュータ等からの印刷ジョブを受け付け、印刷を制御する印刷駆動信号を出力する。印刷駆動信号は、例えば、印刷ヘッド１４０を制御するヘッドショットに関する信号を含む。
【００２８】
印刷部１８０は、図１で説明した搬送部１８２および排出部１８４を含み、印刷ヘッド１４０と協働して媒体２０に印刷を行う。この場合に、印刷部１８０は、印刷制御部１７０から出力される印刷駆動信号に基づいて、搬送部１８２および排出部１８４を駆動して媒体２０を搬送しつつ、上記媒体２０上で印刷ヘッド１４０を往復移動させて、インク供給口３０２、４０２、５０２、６０２から供給される各インクを吐出して印刷を行う。
【００２９】
印刷駆動信号換算部１９０は、印刷駆動信号を課金情報に換算する。すなわち印刷駆動信号換算部１９０は、印刷駆動信号に基づいて課金情報としての使用クレジットを算出する。例えば、印刷駆動信号換算部１９０は、１００００ショットが１クレジットである旨の換算情報を予め格納しておく。
【００３０】
清算部２００は、読込前払情報記憶部２１０に記憶された読込クレジットを、印刷駆動信号換算部１９０で換算された使用クレジットにより清算する。表示部２２０は、エラーメッセージ等をディスプレイ１４に表示する。
【００３１】
図９は、インク情報格納部３１０と前払情報格納部３２０との電気的な接続の他の一例を示す模式図である。図１０は、印刷装置１０のブロック構成の他の一例を示すブロック図である。図９に示す模式図は、図７と同様に、インクカートリッジ３０がカートリッジ収容部１０２に収容された場合において、図６に示す破線によってインク情報格納部３１０および前払情報格納部３２０を切断し、Ａ方向からインク情報格納部３１０、前払情報格納部３２０、接続端子１１０および接続線路１５０を見た断面図である。図１０に示す印刷装置１０は、図８に示す読み書き部１６０にかえて、読み書き部１６２を備える。読み書き部１６２は、図９に示すように、導体部７２２ｂに電気的に接続する。
【００３２】
読み書き部１６２は、カートリッジ収容部１０２に収容されたインクカートリッジ３０に関して、図９に示す導体部７２２ｂに電気的に接続し、導体部７２２ｂおよび接続端子３２２ｂを介して、前払情報格納部３２０が備えるメモリ３２６に記憶されたＩＣクレジットを読み書きする。また、読み書き部１６２は、導体部７２２ｂに電気的に接続し、導体部７２２ｂ、接続端子３２２ｂ、メモリ３２６、導体部７２２ａ、接続線路１５０、導体部７１２ｂおよび接続端子３１２ｂを介して、インク情報格納部３１０が備えるメモリ３１６に記憶されたインクに関する情報を読み書きする。これにより、色材情報および前払情報を読み書きする機能を、印刷装置１０の接続線路１５０によって簡便に実装することができる。
【００３３】
なお、読み書き部１６２は、図８に示す読み書き部１６０と同様に、カートリッジ収容部１０４、１０６、１０８に収容されたインクカートリッジ４０、５０、６０に関して、インク情報格納部４１０、５１０、６１０が備えるメモリに記憶されたインクに関する情報を読み書きする。また、カートリッジ収容部１０２、１０４、１０６、１０８、印刷制御部１７０、印刷部１８０、印刷駆動信号換算部１９０、清算部２００、読込前払情報記憶部２１０および表示部２２０の各部は図８に示すブロックの各部と同一なので説明を省略する。
【００３４】
図１１は、インク情報格納部３１０と前払情報格納部３２０との電気的な接続のさらに他の一例を示す模式図である。図１２は、印刷装置１０のブロック構成のさらに他の一例を示すブロック図である。図１１に示す模式図は、図７と同様に、インクカートリッジ３０がカートリッジ収容部１０２に収容された場合において、図６に示す破線によってインク情報格納部３１０および前払情報格納部３２０を切断し、Ａ方向からインク情報格納部３１０、前払情報格納部３２０、接続端子１１０および接続線路１５０を見た断面図である。図１２に示す印刷装置１０は、図８に示す読み書き部１６０または図１０に示す読み書き部１６２にかえて、読み書き部１６４を備える。また、図１２に示す印刷装置１０は、接続線路１５０を備えず、かわりに、読み書き部１６４は、図１１に示すように、導体部７１２ａ、ｂおよび導体部７２２ａ、ｂの両方に直接、電気的に接続する。
【００３５】
読み書き部１６４は、カートリッジ収容部１０２に収容されたインクカートリッジ３０に関して、導体部７１２ａおよび接続端子３１２ａ、または、導体部７１２ｂおよび接続端子３１２ｂを介して、インク情報格納部３１０が備えるメモリ３１６に記憶されたインクに関する情報を読み書きする。また、読み書き部１６４は、導体部７２２ａおよび接続端子３２２ａ、または、導体部７２２ｂおよび接続端子３２２ｂを介して、前払情報格納部３２０が備えるメモリ３２６に記憶されたＩＣクレジットを読み書きする。これにより、色材情報および前払情報を読み書きする機能を個別に印刷装置１０で実装することができる。
【００３６】
なお、読み書き部１６４は、図８に示す読み書き部１６０と同様に、カートリッジ収容部１０４、１０６、１０８に収容されたインクカートリッジ４０、５０、６０に関して、インク情報格納部４１０、５１０、６１０が備えるメモリに記憶されたインクに関する情報を読み書きする。また、カートリッジ収容部１０２、１０４、１０６、１０８、印刷制御部１７０、印刷部１８０、印刷駆動信号換算部１９０、清算部２００、読込前払情報記憶部２１０および表示部２２０の各部は図８に示すブロックの各部と同一なので説明を省略する。
【００３７】
図１３は、キャリッジ１００が備える接続端子１２０の概略斜視図である。キャリッジ１００は、図４に示す接続端子１１０にかえて接続端子１２０を備えてもよい。接続端子１２０は、図１３に示すように、導体部７３２および絶縁部７０２を有する。図１３に示す形態において、７つの導体部７３２ａ、ｂ、ｃ、ｄ、ｅ、ｆ、ｇが、絶縁部７０２により相互に絶縁されている。
【００３８】
図１４は、インクカートリッジ３０の他の一例を示す概略斜視図である。図１５は、チップ収容部８０２に収容されたインク情報格納部３３０および前払情報格納部３４０の模式図である。図１６は、インク情報格納部３３０と前払情報格納部３４０との電気的な接続の一例を示す模式図である。図１６に示す模式図は、具体的には、インクカートリッジ３０がカートリッジ収容部１０２に収容された場合において、図１５に示す破線によってインク情報格納部３３０および前払情報格納部３４０を切断しＡ方向から見た断面図である。
【００３９】
図１４のインクカートリッジ３０は、キャリッジ１００が図１３に示す接続端子１２０を備えるときは、図５に示すチップ収容部８００、インク情報格納部３１０および前払情報格納部３２０にかえて、チップ収容部８０２、インク情報格納部３３０および前払情報格納部３４０を備える。この場合に、インク情報格納部３３０は、基板３３４、接続端子３３２、インクに関する情報を記憶するメモリ３３６、および、接続線路３３８を備える。接続端子３３２は、基板３３４の一面に露出するとともに、当該基板３３４の他面側に貫通する。基板３３４の当該他面には、メモリ３３６および接続線路３３８が配され、それぞれ対応する接続端子３３２（３３２ａ、３３２ｂ）に電気的に接続する。
【００４０】
前払情報格納部３４０は、基板３４４、および、ＩＣクレジットを記憶するメモリ３４６を備える。基板３４４において基板３３４の当該他面と同じ向きの面に、メモリ３４６が取り付けられる。
【００４１】
インクカートリッジ３０がカートリッジ収容部１０２に収容された場合に、インクカートリッジ３０の接続端子３３２ａ、ｂ、ｃ、ｄ、ｅ、ｆ、ｇはそれぞれ、キャリッジ１００の接続端子１２０において対向する導体部７３２ａ、ｂ、ｃ、ｄ、ｅ、ｆ、ｇに電気的に接続される。
【００４２】
接続線路３３８は、前払情報格納部３４０がチップ収容部８０２に収容された状態で、当該前払情報格納部３４０のメモリ３４６に電気的に接続する。これにより、図１６において、キャリッジ１００が有する接続端子１２０の導体部７３２ｂに電気的に接続したときは、メモリ３４６に電気的に接続することができる。
【００４３】
図１７は、印刷装置１０のブロック構成のさらに他の一例を示すブロック図である。図１７に示すブロック図は、図１６に示すように、読み書き部１６０が導体部７３２ａ、ｂに電気的に接続する場合のブロック構成を示す。印刷装置１０は、カートリッジ収容部１０２、１０４、１０６、１０８、読み書き部１６０、印刷制御部１７０、印刷部１８０、印刷駆動信号換算部１９０、清算部２００、読込前払情報記憶部２１０および表示部２２０を備える。
【００４４】
読み書き部１６０は、カートリッジ収容部１０２に収容されたインクカートリッジ３０に関して、図１６に示す導体部７３２ａに電気的に接続し、導体部７３２ａおよび接続端子３３２ａを介して、インク情報格納部３３０が備えるメモリ３３６に記憶されたインクに関する情報を読み書きする。また、読み書き部１６０は、導体部７３２ｂに電気的に接続し、導体部７３２ｂ、接続端子３３２ｂおよび接続線路３３８を介して、前払情報格納部３４０が備えるメモリ３４６に記憶されたＩＣクレジットを読み書きする。これにより、色材情報および前払情報を読み書きする機能を、インクカートリッジ３０の接続線路３３８によって簡便に実装することができる。
【００４５】
読み書き部１６０は、カートリッジ収容部１０４、１０６、１０８に収容されたインクカートリッジ４０、５０、６０に関して、インク情報格納部４１０、５１０、６１０が備えるメモリに記憶されたインクに関する情報を読み書きする。なお、カートリッジ収容部１０２、１０４、１０６、１０８、印刷制御部１７０、印刷部１８０、印刷駆動信号換算部１９０、清算部２００、読込前払情報記憶部２１０および表示部２２０の各部は図８に示すブロックの各部と同一なので説明を省略する。
【００４６】
図１８は、キャリッジ１００が備える接続端子１３０の概略斜視図である。キャリッジ１００は、図４に示す接続端子１１０または図１３に示す接続端子１２０にかえて接続端子１３０を備えてもよい。接続端子１３０は、図１８に示すように、導体部７６２および絶縁部７０４を有する。図１８に示す形態において、７つの導体部導体部７６２ａ、ｂ、ｃ、ｄ、ｅ、ｆ、ｇは、絶縁部７０４により相互に絶縁されている。
【００４７】
図１９は、インクカートリッジ３０のさらに他の一例を示す概略斜視図である。図２０は、チップ収容部８０４に収容されたインク情報格納部３５０および前払情報格納部３６０の模式図である。図２１は、インク情報格納部３５０と前払情報格納部３６０との電気的な接続の一例を示す模式図である。図２１に示す模式図は、具体的には、インクカートリッジ３０がカートリッジ収容部１０２に収容された場合において、図２０に示す破線によってインク情報格納部３５０および前払情報格納部３６０を切断しＡ方向から見た断面図である。
【００４８】
図１９のインクカートリッジ３０は、キャリッジ１００が図１８に示す接続端子１３０を備えるときは、図５に示すチップ収容部８００、インク情報格納部３１０および前払情報格納部３２０にかえて、チップ収容部８０４、インク情報格納部３５０および前払情報格納部３６０を備える。インク情報格納部３５０は、図２０に示すように、基板３５４、および、当該基板３５４の一面に配され、インクに関する情報を記憶するメモリ３５６を備える。
【００４９】
前払情報格納部３４０は、基板３６４、接続端子３６２、ＩＣクレジットを記憶するメモリ３６６、および、接続線路３６８を備える。接続端子３６２は、基板３６４の一面に露出するとともに、当該基板３６４の他面側に貫通する。基板３６４の当該他面には、メモリ３６６および接続線路３６８が配され、それぞれ対応する接続端子３６２（３３２ｂ、３３２ａ）に電気的に接続する。
【００５０】
インクカートリッジ３０がカートリッジ収容部１０２に収容された場合に、インクカートリッジ３０の接続端子３６２ａ、ｂ、ｃ、ｄ、ｅ、ｆ、ｇの各々は、キャリッジ１００の接続端子１３０において対向する導体部７６２ａ、ｂ、ｃ、ｄ、ｅ、ｆ、ｇに電気的に接続される。
【００５１】
接続線路３６８は、インク情報格納部３５０が備えるメモリ３５６と電気的に接続する。また、接続線路３６８は、接続端子３６２ａに電気的に接続する。すなわち、図２１において、キャリッジ１００が有する接続端子１３０の導体部７６２ａに電気的に接続したときは、メモリ３５６に電気的に接続することができる。これにより、色材情報および前払情報を読み書きする機能を、インクカートリッジ３０の接続線路３６８によって簡便に実装することができる。
【００５２】
図２２は、印刷装置１０のブロック構成のさらに他の一例を示すブロック図である。図２２に示すブロック図は、図２１に示すように、読み書き部１６２が導体部７６２ａ、ｂに電気的に接続する場合のブロック構成を示す。印刷装置１０は、カートリッジ収容部１０２、１０４、１０６、１０８、読み書き部１６０、印刷制御部１７０、印刷部１８０、印刷駆動信号換算部１９０、清算部２００、読込前払情報記憶部２１０および表示部２２０を備える。
【００５３】
読み書き部１６２は、カートリッジ収容部１０２に収容されたインクカートリッジ３０に関して、導体部７６２ｂおよび接続端子３６２ｂを介して、前払情報格納部３６０が備えるメモリ３６６に記憶されたＩＣクレジットを読み書きする。また、読み書き部１６２は、導体部７６２ａ、接続端子３６２ａおよび接続線路３６８を介して、インク情報格納部３５０が備えるメモリ３５６に記憶されたインクに関する情報を読み書きする。
【００５４】
読み書き部１６２は、カートリッジ収容部１０４、１０６、１０８に収容されたインクカートリッジ４０、５０、６０に関して、インク情報格納部４１０、５１０、６１０が備えるメモリに記憶されたインクに関する情報を読み書きする。なお、カートリッジ収容部１０２、１０４、１０６、１０８、印刷制御部１７０、印刷部１８０、印刷駆動信号換算部１９０、清算部２００、読込前払情報記憶部２１０および表示部２２０の各部は図８に示すブロックの各部と同一なので説明を省略する。
【００５５】
なお、上記実施例において、インク情報格納部３１０および前払情報格納部３２０は、接触式に限られず非接触式に情報が読み書きされるものであってもよい。この場合に、インク情報格納部３１０および前払情報格納部３２０は、磁気的または光学的なメモリであってもよい。また、この場合に、接続線路１５０は、インク情報格納部３１０と前払情報格納部３２０とを磁気的または光学的に接続してもよい。また、インク情報格納部３３０、３５０、前払情報格納部３４０、３６０、接続線路３３８、３６８も同様であってもよい。
【００５６】
また、接続線は、インク情報格納部および前払情報格納部と別体で形成され、チップ収容部側に埋め込まれていてもよい。さらに、また、インクカートリッジ３０にかえてまたは加えて、インクカートリッジ４０、５０、６０は、前払情報格納部を備えていてもよい。
【００５７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５８】
【図１】印刷装置１０の概略斜視図である。
【図２】キャリッジ１００の正面上方斜視図である。
【図３】キャリッジ１００の背面上方斜視図である。
【図４】キャリッジ１００が備える接続端子１１０の概略斜視図である。
【図５】インクカートリッジ３０の一例を示す概略斜視図である。
【図６】チップ収容部８００に収容されたインク情報格納部３１０および前払情報格納部３２０の模式図である。
【図７】インク情報格納部３１０と前払情報格納部３２０との電気的な接続の一例を示す模式図である。
【図８】印刷装置１０のブロック構成の一例を示すブロック図である。
【図９】インク情報格納部３１０と前払情報格納部３２０との電気的な接続の他の一例を示す模式図である。
【図１０】印刷装置１０のブロック構成の他の一例を示すブロック図である。
【図１１】インク情報格納部３１０と前払情報格納部３２０との電気的な接続のさらに他の一例を示す模式図である。
【図１２】印刷装置１０のブロック構成のさらに他の一例を示すブロック図である。
【図１３】キャリッジ１００が備える接続端子１２０の概略斜視図である。
【図１４】インクカートリッジ３０の他の一例を示す概略斜視図である。
【図１５】チップ収容部８０２に収容されたインク情報格納部３３０および前払情報格納部３４０の模式図である。
【図１６】インク情報格納部３３０と前払情報格納部３４０との電気的な接続の一例を示す模式図である。
【図１７】印刷装置１０のブロック構成のさらに他の一例を示すブロック図である。
【図１８】キャリッジ１００が備える接続端子１３０の概略斜視図である。
【図１９】インクカートリッジ３０のさらに他の一例を示す概略斜視図である。
【図２０】チップ収容部８０４に収容されたインク情報格納部３５０および前払情報格納部３６０の模式図である。
【図２１】インク情報格納部３５０と前払情報格納部３６０との電気的な接続の一例を示す模式図である。
【図２２】印刷装置１０のブロック構成のさらに他の一例を示すブロック図である。
【符号の説明】
【００５９】
１０  印刷装置、２０  媒体、３０  インクカートリッジ、４０  インクカートリッジ、５０  インクカートリッジ、６０  インクカートリッジ、１００  キャリッジ、１０２  カートリッジ収容部、１０３  インク供給部、１０４  カートリッジ収容部、１０５  インク供給部、１０６  カートリッジ収容部、１０７  インク供給部、１０８  カートリッジ収容部、１０９  インク供給部、１１０  接続端子、１１２  接続端子、１１４  接続端子、１１６  接続端子、１２０  接続端子、１３０  接続端子、１４０  印刷ヘッド、１５０  接続線路、１６０  読み書き部、１６２  読み書き部、１６４  読み書き部、１７０  印刷制御部、１８０  印刷部、１８２  搬送部、１８４  排出部、１９０  印刷駆動信号換算部、２００  清算部、２１０  読込前払情報記憶部、２２０  表示部、３００  カートリッジ本体、３０２  インク供給口、３１０  インク情報格納部、３１２  接続端子、３１４  基板、３１６  メモリ、３２０  前払情報格納部、３２２  接続端子、３２４  基板、３２６  メモリ、３３０  インク情報格納部、３３２  接続端子、３３４  基板、３３６  メモリ、３３８  接続線路、３４０  前払情報格納部、３４４  基板、３４６  メモリ、３５０  インク情報格納部、３５４  基板、３５６  メモリ、３６０  前払情報格納部、３６２  接続端子、３６４  基板、３６６  メモリ、３６８  接続線路、４０２  インク供給口、４１０  インク情報格納部、５０２  インク供給口、５１０  インク情報格納部、６０２  インク供給口、６１０  インク情報格納部、７００  絶縁部、７０２  絶縁部、７０４  絶縁部、７１２  導体部、７２２  導体部、７３２  導体部、７６２  導体部、８００  チップ収容部、８０２  チップ収容部、８０４  チップ収容部
【図１】
2007283508.tif 000003
【図２】
2007283508.tif 000004
【図３】
2007283508.tif 000005
【図４】
2007283508.tif 000006
【図５】
2007283508.tif 000007
【図６】
2007283508.tif 000008
【図７】
2007283508.tif 000009
【図８】
2007283508.tif 000010
【図９】
2007283508.tif 000011
【図１０】
2007283508.tif 000012
【図１１】
2007283508.tif 000013
【図１２】
2007283508.tif 000014
【図１３】
2007283508.tif 000015
【図１４】
2007283508.tif 000016
【図１５】
2007283508.tif 000017
【図１６】
2007283508.tif 000018
【図１７】
2007283508.tif 000019
【図１８】
2007283508.tif 000020
【図１９】
2007283508.tif 000021
【図２０】
2007283508.tif 000022
【図２１】
2007283508.tif 000023
【図２２】
2007283508.tif 000024